(57)【要約】【課題】薬局で個人別の容器に薬を入れた状態で運搬でき、そのまま病院や施設の与薬棚の引き出しとして使用できる薬剤収納ケースを提供すること。【解決手段】底板３ｄ、左右側板３ｃ、３ｄ及び前後側板３ａ、３ｂを備える上方開口の薬剤収納ケース１０であって、左右側板の上部内側に形成される前後方向に延びる係止溝レール４と、左右側板の下端に形成される前後方向に延びる係止突起レール５と、を有し、係止溝レール４は、縦溝と横溝で形成される逆さＬ字断面の二重溝であり、係止突起レール５は、二重溝に嵌る突起形状であり、係止溝レール４には、他の薬剤収納ケースの係止突起レール５がスライド自在に嵌り、係止突起レール５には、他の薬剤収納ケースの係止溝レール４がスライド自在に嵌る。【選択図】図１
2020070023.tif 000002
【特許請求の範囲】
【請求項１】
底板、左右側板及び前後側板を備える上方開口の薬剤収納ケースであって、
該左右側板の上部内側に形成される前後方向に延びる係止溝レールと、
該左右側板の下端に形成される前後方向に延びる係止突起レールと、を有し、
該係止溝レールは、前後方向に延びる外縦板と、該外縦板からｍ寸法離れた内側で、該外縦板の高さより低い高さの内縦板とで形成される縦溝と、該内縦板の上端からｎ寸法上方に離れて該外縦板の内側面から内側方向に延びる小横板と、該内縦板の上端とで形成される横溝との逆さＬ字断面の二重溝であり、
該係止突起レールは、該二重溝に嵌る突起形状であり、
該係止溝レールには、他の薬剤収納ケースの係止突起レールが前後方向にスライド自在に嵌り、該係止突起レールには、他の薬剤収納ケースの係止溝レールが前後方向にスライド自在に嵌ることを特徴とする薬剤収納ケース。
【請求項２】
該小横板は、前後方向に不連続で部分的に形成され、該内縦板は、部分的に形成された小横板の対応する位置において切り欠かれていることを特徴とする請求項１又は２記載の薬剤収納ケース。
【請求項３】
該係止突起レールは、正面視で、左右側板の下端が外側へ直角に屈曲し、更に下方に直角に屈曲する逆Ｌ字形状であることを特徴とする請求項１又は２に記載の薬剤収納ケース。
【請求項４】
請求項１〜３のいずれか１項に記載の薬剤収納ケースの複数個と、
板状の蓋部材と、を備え、
上下に隣接する２つの薬剤収納ケースは、下方の薬剤収納ケースの係止溝レールと上方の薬剤収納ケースの係止突起レールが係止して積層連結され、
該蓋部材は、最上位の薬剤収納ケースの横溝に嵌り、該上方開口を閉じるように付設されることを特徴とする薬剤収納ケース連結体。
【請求項５】
該蓋部材は、上面に把持部を備え、運搬可能としたことを特徴とする請求項４の薬剤収納ケース連結体。
【発明の詳細な説明】
【技術分野】
【０００１】
本発明は、薬局で個人別の容器に薬を入れた状態で運搬でき、そのまま病院や施設の与薬棚の引き出しとして使用できる薬剤収納ケース連結体及びその一部品である薬剤収納ケースに関する。
【背景技術】
【０００２】
従来、薬の管理方法としては、薬局から病院や施設へ複数人数分の薬をまとめて運び、病院や施設において、個人別の引き出しに、朝、昼、夕、寝る前等のタイミング別に薬剤収納ケースを入れ直すという作業を行っていた。
【０００３】
薬局や病院で使用される薬剤収納ケースには、種々のものが提案されている。例えば、特開２０１２−７６８１０号公報には、前壁部、一対の側壁部、底壁部、後壁部を有して上部が開口された筐体状の薬剤ケースにおいて、後部に大収納部、前部に小収納部を形成するように仕切り板で仕切るように構成された薬剤ケースであって、前記前壁部と前記小収納部との間に、薬剤の情報を伝達する表示部が配設されていることを特徴とする薬剤ケースが開示されている。この薬剤ケース（薬剤収納ケース）によれば、薬剤ケースに収納された薬剤に関する情報を確実に伝達して、間違った薬剤を取り出す虞のないように形成された薬剤ケースを提供できる。
【０００４】
また、実用新案登録第３２０２３６１号公報には、前壁、後壁、一対の側壁、底壁を有し、上方が開口した薬剤収容部を備え、前記薬剤収容部は、前方に位置して前後寸法が相対的に小さい小収容部と、後方に位置して前後寸法が相対的に大きい大収容部と、を有し、前記小収容部は、前記底壁から上方に突出した突出部を有する薬剤ケースが開示されている。この薬剤ケースによれば、薬剤収容部の収容物、特に端数包装体を取り出し易い。このような従来の薬剤ケースは、いずれも、薬局と病院のいずれか施設でのオペレーションのための使用であった。
【先行技術文献】
【特許文献】
【０００５】
【特許文献１】特開２０１２−７６８１０号公報
【特許文献２】実用新案登録第３２０２３６１号公報
【発明の開示】
【発明が解決しようとする課題】
【０００６】
しかしながら、従来のような薬の管理方法は、薬局と病院の両方でオペレーションが必要となり、作業の効率化の点で問題となっている。従って、薬局で個人別の容器に薬を入れた状態で運搬でき、そのまま病院や施設の与薬棚の引き出しとして使用できる薬剤収納ケースであれば、患者に与薬する施設や病院でのオペレーションは確認のみとなり、施設や病院での仕事の効率化が図れて都合がよい。
【０００７】
すなわち、本発明の目的は、薬局で個人別の容器に薬を入れた状態で運搬でき、そのまま病院や施設の与薬棚の引き出しとして使用できる薬剤収納ケースを提供することにある。
【０００８】
従って、本発明は、上記課題を解決するものであり、底板、左右側板及び前後側板を備える上方開口の薬剤収納ケースであって、該左右側板の上部内側に形成される前後方向に延びる係止溝レールと、該左右側板の下端に形成される前後方向に延びる係止突起レールと、を有し、該係止溝レールは、前後方向に延びる外縦板と、該外縦板からｍ寸法離れた内側で、該外縦板の高さより低い高さの内縦板とで形成される縦溝と、該内縦板の上端からｎ寸法上方に離れて該外縦板の内側面から内側方向に延びる小横板と、該内縦板の上端とで形成される横溝との逆さＬ字断面の二重溝であり、該係止突起レールは、該二重溝に嵌る突起形状であり、該係止溝レールには、他の薬剤収納ケースの係止突起レールが前後方向にスライド自在に嵌り、該係止突起レールには、他の薬剤収納ケースの係止溝レールが前後方向にスライド自在に嵌ることを特徴とする薬剤収納ケースを提供するものである。
【０００９】
また、本発明は、該小横板は、前後方向に不連続で部分的に形成され、該内縦板は、部分的に形成された小横板の対応する位置において切り欠かれていることを特徴とする前記薬剤収納ケースを提供するものである。
【００１０】
また、本発明は、該係止突起レールは、正面視で、左右側板の下端が外側へ直角に屈曲し、更に下方に直角に屈曲する逆Ｌ字形状であることを特徴とする前記薬剤収納ケースを提供するものである。
【００１１】
また、本発明は、前記薬剤収納ケースの複数個と、
板状の蓋部材と、を備え、
上下に隣接する２つの薬剤収納ケースは、下方の薬剤収納ケースの係止溝レールと上方の薬剤収納ケースの係止突起レールが係止して積層連結され、
該蓋部材は、最上位の薬剤収納ケースの横溝に嵌り、該上方開口を閉じるように付設されることを特徴とする薬剤収納ケース連結体を提供するものである。
【００１２】
また、本発明は、該蓋部材は、上面に把持部を備え、運搬可能としたことを特徴とする前記薬剤収納ケース連結体を提供するものである。
【発明の効果】
【００１３】
本発明によれば、複数個の薬剤収納ケースを積層状態で連結できるため、薬局で個人別の容器に薬を入れた状態で運搬でき、そのまま病院や施設の与薬棚の引き出しとして使用できる。このため、患者に与薬する施設や病院でのオペレーションは確認のみとなり、施設や病院での仕事の効率化が図れる。
【図面の簡単な説明】
【００１４】
【図１】本発明の実施の形態における薬剤収納ケースの斜視図である。
【図２】図１のＸ−Ｘ線に沿って見た断面図である。
【図３】図２の符号Ｘ１部分の拡大図である。
【図４】図２の符号Ｘ２部分の拡大図である。
【図５】本発明の実施の形態における薬剤収納ケース連結体の斜視図である。
【図６】図５の薬剤収納ケース連結体の側面図である。
【図７】図５の薬剤収納ケース連結体の蓋部材を外した斜視図である。
【図８】図５の薬剤収納ケース連結体の蓋部材をスライドさせた斜視図である。
【図９】連結された薬剤収納ケースにおけるスライド状態を説明する図である。
【図１０】連結された薬剤収納ケースにおけるスライド状態を説明する他の図である。
【図１１】２つの薬剤収納ケースが連結された側面図である。
【図１２】図１１において左右方向の中心で上下方向に切断した横断面図である。
【図１３】図５の薬剤収納ケース連結体において左右方向の中心で上下方向に切断した横断面図である。
【図１４】図３のＸ３−Ｘ３線に沿って見た断面図である。
【図１５】図１の薬剤収納ケースが収納される収納棚の斜視図である。
【図１６】図１５の収納棚から一つの薬剤収納ケースが引き出される状態を説明する図である。
【図１７】図１６のＸ４−Ｘ４線に沿って見た断面図である。
【発明を実施するための形態】
【００１５】
次に、本発明の実施の形態における薬剤収納ケースを図１〜４を参照して説明する。本明細書中、正面は、収納棚に設置された状態で、作業者側（薬剤収納ケース引き出し方向側）を言う。薬剤収納ケース１０は、底板３ｅ、右側板３ｃ、左側板３ｄ、前側板３ａ、後側板３ｂを備える上方開口の前後方向に長いケース状である。これにより、紙等でパッキングされた患者Ａ用の薬剤を収納できる。
【００１６】
薬剤収納ケース１０において、左右側板の上部内側には、前後方向に延びる係止溝レール４が形成されている。係止溝レール４は、他の薬剤収納ケース１０の係止突起レール５が前後方向にスライド自在に嵌り、上下２つの薬剤収納ケース１０を積層状に連結可能とする。
【００１７】
薬剤収納ケース１０において、左右側板３ｃ、３ｄは、上部において段差構造となっている。すなわち、左右側板３ｃ、３ｄは上部において外側に直角に屈曲し、更に上方に直角に屈曲することで、段差を形成し、更に内側の側板となった側板が上方に僅かに延びて縦溝４８を構成したものである。すなわち、係止溝レール４は、前後方向に延びる外縦板４１と、外縦板４１からｍ寸法離れた内側で、外縦板４１の高さより低い高さの前後方向に延びる内縦板４２とで形成される縦溝４８と、内縦板４２の上端からｎ寸法上方に離れて外縦板４１の内側面から内側方向に延びる小横板４３と、内縦板４２の上端とで形成される横溝４９との逆さＬ字断面の二重溝となっている。なお、横溝４９は、外側が縦溝４８に連続しており、横溝４９の溝長さは、内縦板４２の厚みとなる。また、外縦板４１は、左右側板３ｃ、３ｄの一部を構成する。
【００１８】
また、小横板４３の内側方向へ延びる長さ（突出長さ）は、縦溝４８の溝幅寸法ｍと同じ又はこれより小となっている。これにより、他の（上側の）薬剤収納ケース１０が上方に持ち上げられた際、係止突起レール５が小横板４３と当接して持ち上げるため、他の（上側の）薬剤収納ケース１０は、脱落することなく、連結状態を維持できる。また、横溝４９の溝幅（図３中、上下長さ）は、別部材である蓋部材１の厚みより僅かに大の寸法である。これにより、蓋部材１は、横溝４９にスライド自在に嵌合でき、更に嵌合後は、蓋部材１が持ち上げられても、小横板４３がストッパーの役目となり、脱落することなく、連結できる。
【００１９】
係止溝レール４において、小横板４３は、前後方向に不連続で部分的（本例では３か所）に形成され、内縦板４２は、部分的に形成された小横板４３の対応する位置において切り欠かれている。係止溝レール４は、このように部分的に配置することで、他の薬剤収納ケースのスライドによる連結や、蓋部材のスライドによる連結を円滑にできる。また、蓋部材１の対応する位置と避ける位置に、抜け用の切り欠きを設ければ、蓋部材１をスライドして引き抜くことなく、スライド途中で外すことができる。
【００２０】
薬剤収納ケース１０において、左右側板３ｃ、３ｄの下端には、前後方向に延びる係止突起レール５が形成されている。係止突起レール５は、係止溝レール４の二重溝に嵌る突起形状であり、具体的には、正面視で、左右側板の下端が外側へ直角に屈曲し、更に下方に直角に屈曲する逆Ｌ字形状である。係止突起レール５は、前後方向に連続して形成されるものであるが、図１に示すように、後部の一部に切り欠き部５９を有していてもよい。切り欠き部５９は、収納棚３１に収納され、引き出す際、収納棚３１の底板３１１の前端３１２に係止して、作業を円滑にする。
【００２１】
左右側板３ｃ、３ｄの内側の面には、前後方向に所定のピッチで縦方向に延びる多数の仕切り板用の突起６が形成されている。左右で且つ前後に隣接する突起６間に仕切り板を取り付け、且つ仕切り板に表示プレートを貼付すれば、仕切り板間の薬剤の情報が明確となる。例えば、仕切り板を３つ使用し、薬剤収納ケース１０内を４つに区画すれば、後方から前方に向けて、寝る前、夕、昼、朝用の薬剤を入れる区画となる。
【００２２】
左右側板３ｃ、３ｄの前部と後部には、左右連結用の係止孔２１ａ、２１ｂが形成されている。前部の係止孔２１ａは、中央の支柱を挟んだ両側に縦方向に延びるスリットを形成したものであり、後部の係止孔２１ｂは、後側板３ｂに接して縦方向に延びるスリットを形成したものである。係止孔２１ａ、２１ｂには、可撓性の両腕部を有する連結用パーツ（不図示）の一方の腕部が差し込まれる。
【００２３】
薬剤収納ケース１０において、後側板３ｂの高さは、左右側板と同じであってもよく、本例のように、左右側板より少し高いものであってもよい。後側板３ｂにおいて、左右側板より上方に突出する部分は、収納棚３１の天板３１３の裏面の前方に垂下状のストッパー３１４に係止するため、薬剤収納ケース１０が前方へ引き出される際、脱落するのを防止する。
【００２４】
薬剤収納ケース１０において、前側板３ａの高さは、中央の突起８を除き、縦溝４８の溝底と同じである。これにより、他の薬剤収納ケース１０を前方から後方へ水平姿勢を維持してスライド自在に連結することができる。前側板３ａの上部の中央には、上方に連結された薬剤収納ケース１０が前方へ脱落するのを防止するロック片７を形成している。ロック片７は、前側板３ａの上部において、両側にスリットに入った内側部を薄肉とすることで、可撓性を持たせ、更に、薄肉部と連続し、前側板３ａの両側の上端面から上方に少し延びる起立状の小突起８を形成したものである。２つの薬剤収納ケース１０が上下に連結している場合、ロック片７の小突起８が上の薬剤収納ケース１０の前側板３ａより前方に位置しており、前方へスライド移動することを規制（ロック）している。一方、ロック片７を指で押し込めば、ロック片７が押し込み方向に撓み、小突起８が上の薬剤収納ケース１０より下方に倒伏するため、薬剤収納ケース１０の前方へのスライド移動が可能となり、両者の連結を解除することができる。
【００２５】
薬剤収納ケース１０において、前側板３ａの前面には、例えば、薬剤を使用する患者の名前などが書かれた表示板を収納する表示部９が形成されている。これにより、薬剤収納ケース１０がどの患者用のものであるかが明確となる。
【００２６】
次に、薬剤収納ケース連結体（以下、単に「ケース連結体」とも言う。）について、図５〜図１４を参照して説明する。図５〜図１４において、図１〜図４と同一構成要素には、同一符号を付して、その説明を省略し、異なる点について、主に説明する。ケース連結体２０は、薬剤収納ケース１０の複数個と、上面に把持部１２を備える板状の蓋部材１と、を備え、上下に隣接する２つの薬剤収納ケース１０ａ、１０ｂは、下方の薬剤収納ケース１０ｂの係止溝レール４と上方の薬剤収納ケース１０ａの係止突起レール５が係止して積層連結され、蓋部材１は、上の薬剤収納ケース１０ａの横溝４９に嵌り、上方開口を閉じるように付設され、持ち運び可能である（図５及び図６）。ケース連結体２０は、２つの薬剤収納ケース１０、１０の連結に限定されず、３つ以上の薬剤収納ケース１０を上下方向に連結することができる。
【００２７】
蓋部材１は、板状体であり、薬剤収納ケース１０の上方開口を閉じ、係止溝レール４の横溝４９にスライド自在となる寸法形状である。また、板状体の左右端部には、前後方向の所定のピッチで、２つ、左右で４つの切り欠き部１３が形成されている。切り欠き部１３の大きさは、部分的に形成されている係止溝レール４の大きさよりやや大である。また、切り欠き部１３は、蓋部材１が薬剤収納ケース１０に取り付けられた状態において、係止溝レール４に対応しない位置である。これにより、蓋部材１が薬剤収納ケース１０に取り付けられた状態において、蓋部材１は、係止溝レール４の小横板４３に当たり、外れることはなく、蓋部材１を外す際、部分的な係止溝レール４に対応する位置にくることで、蓋部材１を引き上げることで、係止を解除できる。
【００２８】
次に、ケース連結体２０の組付け方法の一例について説明する。２つの薬剤収納ケース１０、１０及び蓋部材１を準備する。例えば、一方の薬剤収納ケース１０には、患者Ａ用の１日の薬剤が朝、昼、夕、寝る前の４回分が収納されている。また、他方の薬剤収納ケース１０には、患者Ｂ用の１日の薬剤が朝、昼、夕、寝る前の４回分が収納されている。この薬剤の患者毎のオペレーションは、薬局で行われる。次に、２つの薬剤収納ケース１０、１０が上下近接位置となるよう上方の薬剤収納ケース１０ａを前方位置で保持し、下方の薬剤収納ケース１０ｂの前側板３ａの上面に、上方の薬剤収納ケース１０ａの後側板３ｂの下端を載せ、上下位置を決定する。この状態から、上方の薬剤収納ケース１０ａを下方の薬剤収納ケース１０ｂに対して、後方側へスライド移動させる。この際、上方の薬剤収納ケース１０ａの係止突起レール５と、下方の薬剤収納ケース１０ｂの係止溝レール４は係止しながら、両者は連結される。上方の薬剤収納ケース１０ａの後側板３ｂの下部が、下方の薬剤収納ケース１０ｂの後側板３ｂの上部に当接することで、両者の連結は完了する。この際、下方の薬剤収納ケース１０ｂの前側板３ａのロック片７の小突起８は、上方の薬剤収納ケース１０ａの前側板３ａの前方に位置している（図９〜図１２）。これにより、上方の薬剤収納ケース１０ａが下方の薬剤収納ケース１０ｂから前方側に移動して外れることがなくなる。
【００２９】
次に、連結された２つの薬剤収納ケース１０、１０の上方の薬剤収納ケース１０に蓋部材１を取り付ける。蓋部材１は、上方の薬剤収納ケース１０の横溝４９に、前方から後方に向けて、係止しつつスライドする。蓋部材１の後端が、上方の薬剤収納ケース１０の後側板３ａに当たることで、蓋部材１の取り付けは完了する。この際、蓋部材１の切り欠き部１３は、係止溝レール４の対応する位置に来ておらず、また、蓋部材１の上面の左右縁部が、小横板４３に当たっており、蓋部材１が外れることはない。そして、把持部１２を把持して持ち上げれば、ケース連結体２０を持ち上げることができる。
【００３０】
ケース連結体２０は、把持部１２を把持し、手で運搬することができる。病院などの施設に運搬されたケース連結体２０は、連結が解除される。ケース連結体２０から蓋部材１を外す方法は、組付けの際の逆の方法で行えばよい。本例の場合、蓋部材１の切り欠き部１３を、係止溝レール４と対応する位置までスライドさせ、蓋部材１の切り欠き部１３と、係止溝レール４を一致させ、蓋部材１を引き上げればよい。２つの薬剤収納ケース１０の取り外しは、組付けの逆の方法であり、上方の薬剤収納ケース１０ａを下方の薬剤収納ケース１０ｂに対して、前方側へスライド移動させて、外せばよい。
【００３１】
次に、薬剤収納ケース１０を収納棚３１に収納及び引き出す方法を図１５〜図１７を参照して説明する。図１５〜図１７において、図１〜図４と同一構成要素には、同一符号を付して、その説明を省略し、異なる点について、主に説明する。収納棚３１は、左右側板、天板、底板、後側板からなる前方開口の箱状体であり、薬剤収納ケース１０を横並びで、４つ収納することができる。収納棚３１において、底板３１１から天板３１３までの高さ、すなわち、天井高さは、薬剤収納ケース１０の左右側板を含めた外縦板４１の高さより高い。また、天板３１３の収納側の面で、且つ前部には、天板３１３から下方に垂下するストッパー３１４が付設されている。底板３１１からストッパー３１４までの高さは、薬剤収納ケース１０の左右側板を含めた外縦板４１の高さより高く、後側板３ｂの高さより低い。これにより、薬剤収納ケース１０を収納棚３１に収納する際、ストッパー３１４は邪魔にはならず、薬剤収納ケース１０を収納棚３１から引き出す際、後側板３ｂがストッパー３１４に当たり、前方への脱落を防止する。
【００３２】
収納棚３１に、薬剤収納ケース１０を収納するには、薬剤収納ケース１０を後方に向けてやや下り傾斜状の姿勢とし、収納棚３１の入口に差し入れる。この際、薬剤収納ケース１０の後側板３ｂが、ストッパー３１４の後方に入るように、差し入れる。その後、薬剤収納ケース１０を後方へ押し込むことで、収納できる。このように、順次、薬剤収納ケース１０を収納棚３１に収納していく。収納棚３１は、更に大きな収納能力を有するコンテナーなどに収納される。
【００３３】
次に、収納棚３１から薬剤収納ケース１０を引き出し、患者に与薬する方法について説明する。先ず、薬剤収納ケース１０の前側板３ａの表示部９の厚み部を把持し、薬剤収納ケース１０を前方に引き出す。ほぼ完全に引き出された状態において、後側板３ｂの上方縁部がストッパー３１４に当たる。この状態において、薬剤収納ケース１０から手を外しても、薬剤収納ケース１０は、収納棚３１から脱落することはない。また、係止突起レール５の後部に形成された切り欠き部５９の前方の内壁は、収納棚３１の底板の先端角に当たるため、薬剤収納ケース１０が後方に移動することもない（図１７）。この状態において、患者に与薬する薬剤を取り出す作業ができる。作業が終了すれば、薬剤収納ケース１０の前端を上方に少し持ち上げ、水平状態に保持して、後方に押し出し、収納棚３１への収納を完了する。
【００３４】
本発明は、上記実施の形態例に限定されず、種々の変形を採ることができる。例えば、係止溝レールは、不連続の部分的なものに限定されず、連続した溝レールであってもよい。また、蓋部材１の切り欠き部１３の設置は省略できる。また、蓋部材１の把持部１２は設置を省略できる。この場合、ケース連結体をゴムバンドなどで固定し、これにハンドルなどの把持部を設置し、運搬可能としてもよい。また、小横板４３の内側方向へ延びる長さ（突出長さ）は、縦溝４８の溝幅寸法ｍより小又はそれより大であってもよい。小横板４３の内側方向へ延びる長さ（突出長さ）は、縦溝４８の溝幅寸法ｍより小であっても、持ち運びの際、上方の係止突起レール５は、下方の小横板４３に引っかかっており、上下の連結体が外れることはない。
【産業上の利用可能性】
【００３５】
本発明によれば、複数個の薬剤収納ケースを積層状態で連結できるため、薬局で個人別の容器に薬を入れた状態で運搬でき、そのまま病院や施設の与薬棚の引き出しとして使用できる。このため、薬局から病院への運搬効率が上がり、また、患者に与薬する施設や病院でのオペレーションは確認のみとなり、施設や病院での仕事の効率化が図れる。
【符号の説明】
【００３６】
１        蓋部材
３ｅ      底板
３ｃ      右側板
３ｄ      左側板
３ａ      前側板
３ｂ      後側板
４        係止溝レール
５        係止突起レール
６        仕切り用突起
７        ロック片
１０        薬剤収納ケース
４１        外縦板
４２        内縦板
４３        小横板
４８        縦溝
４９        横溝
【図１】
2020070023.tif 000003
【図２】
2020070023.tif 000004
【図３】
2020070023.tif 000005
【図４】
2020070023.tif 000006
【図５】
2020070023.tif 000007
【図６】
2020070023.tif 000008
【図７】
2020070023.tif 000009
【図８】
2020070023.tif 000010
【図９】
2020070023.tif 000011
【図１０】
2020070023.tif 000012
【図１１】
2020070023.tif 000013
【図１２】
2020070023.tif 000014
【図１３】
2020070023.tif 000015
【図１４】
2020070023.tif 000016
【図１５】
2020070023.tif 000017
【図１６】
2020070023.tif 000018
【図１７】
2020070023.tif 000019